(57)【要約】【課題】天板の下方に、テーブル等の天板を潜入させて使用することができるとともに、ハンドル部が側方に突出することがなく、不使用時におけるカート収容スペースの縮小化を図ることができるようにしたカートを提供する。【解決手段】後面に取り出し口を有する収容部１０の後端より起立する左右１対の支柱６，６における収容部１０の上端より上方に離間する上部に、前方を向く天板支持材１３，１３を設け、両天板支持材１３，１３上に、天板１４を、その後端が収容部１０の後端より前方に位置するようにして設けることにより、両支柱６，６と天板支持材１３，１３との連設部分に、ハンドル部１６，１６を形成し、収容部１０の上端と、天板支持材１３，１３および天板１４の下面との間に、前方および両側方に開口する、テーブル２０の天板２１の進入空間を形成する。【選択図】図４
2008017929.tif 000002
【特許請求の範囲】
【請求項１】
後面に取り出し口を有する収容部の後端より起立する左右１対の支柱における前記収容部の上端より上方に離間する上部に、前方を向く天板支持材を設け、両天板支持材上に、天板を、その後端が前記収容部の後端より前方に位置するようにして設けることにより、前記両支柱と天板支持材との連設部分に、ハンドル部を形成し、前記収容部の上端と、前記天板支持材および天板の下面との間に、前方および両側方に開口する、テーブル等の天板の進入空間を形成したことを特徴とするカート。
【請求項２】
収容部の後端より起立する左右１対の支柱の上部を、前記収容部の上端より上方に離間する位置において前方に折曲することにより、折曲部と前向部とを形成し、この折曲部をカート操作用のハンドル部とし、かつ前向部を天板支持材としたことを特徴とする請求項１記載のカート。
【請求項３】
ハンドル部より前方における天板支持材の下面、天板の下面、または収容部の上面に、進入空間に進入してきたテーブル等の天板に当接して、それ以上の進入を阻止するストッパを設けたことを特徴とする請求項１または２記載のカート。
【請求項４】
ストッパを、天板の後端より前方に設けたことを特徴とする請求項３記載のカート。
【請求項５】
ストッパの側面に、外上方を向くフック片を設けたことを特徴とする請求項３または４記載のカート。
【請求項６】
ストッパの上面を、天板支持材より上方に位置させて、天板を支持しうるようにしたことを特徴とする請求項３〜５のいずれかに記載のカート。
【請求項７】
収容部の上端面を開放するとともに、左右の支柱のハンドル部間を開放したことを特徴とする請求項１〜６のいずれかに記載のカート。
【請求項８】
収容部の前面に、上下方向を向く保護部材を設けたことを特徴とする請求項１〜７のいずれかに記載のカート。
【発明の詳細な説明】
【技術分野】
【０００１】
本発明は、病院における回診用カートとして使用するのに好適なカートに関する。
【背景技術】
【０００２】
この種のカートとしては、例えば、医療施設において、看護師等が病室の巡回時等や、ナースステーションでの事務作業時に、多様な作業を効率よく行うために、収容部を有するカート本体の上面に、天板を載置し、この天板上を作業面として、パソコン等によるデータの入力や、書類の記入、看護業務等を行えるようにしたものが知られている（特許文献１〜３参照）。
【特許文献１】特開２００３−１９９７９８号公報
【特許文献２】特開２００５−０３４６０７号公報
【特許文献３】特開２００５−０４６４１２号公報
【発明の開示】
【発明が解決しようとする課題】
【０００３】
しかし、特許文献１〜３に記載されているカートは、把手（ハンドルまたは取っ手）が、カート本体より側方に突出しているので、カートを廊下等に放置したとき、通行の妨げになるとともに、不使用時に、大きな収容スペースを必要とする。
【０００４】
また、回診用カートは、カートの天板と、その下方の収容部との間に、他のテーブル等の天板を潜入させ、かつカートの収容部を、テーブル等の天板の下方に収容させて、テーブル等における天板の下方のスペースを有効に利用するようにして、他のテーブル等と組み合わせて使用することがあるが、特許文献１および２に記載されているカートでは、そのような使用態様を取ることができず、さらに、特許文献３に記載されているカートでは、トレイ支持具が、カートの天板の下方の空間に前傾するように突出しているため、カートの天板の下方に、テーブル等の天板を深く潜入させることができず、また潜入させた状態で、収容物を出し入れすることもできない。
【０００５】
本発明は、従来の技術が有する上記のような問題点に鑑み、天板の下方に、テーブル等の天板を潜入させて使用することができるとともに、その場合にも、収容物を容易に出し入れでき、しかもハンドル部が側方に突出することがなく、不使用時におけるカート収容スペースの縮小化を図ることができるようにしたカートを提供することを目的としている。
【課題を解決するための手段】
【０００６】
本発明によると、上記課題は次のようにして解決される。
(１)  後面に取り出し口を有する収容部の後端より起立する左右１対の支柱における前記収容部の上端より上方に離間する上部に、前方を向く天板支持材を設け、両天板支持材上に、天板を、その後端が前記収容部の後端より前方に位置するようにして設けることにより、前記両支柱と天板支持材との連設部分に、ハンドル部を形成し、前記収容部の上端と、前記天板支持材および天板の下面との間に、前方および両側方に開口する、テーブル等の天板の進入空間を形成する。
【０００７】
(２)  上記(１)項において、収容部の後端より起立する左右１対の支柱の上部を、前記収容部の上端より上方に離間する位置において前方に折曲することにより、折曲部と前向部とを形成し、この折曲部をカート操作用のハンドル部とし、かつ前向部を天板支持材とする。
【０００８】
(３)  上記(１)または(２)項において、ハンドル部より前方における天板支持材の下面、天板の下面、または収容部の上面に、進入空間に進入してきたテーブル等の天板に当接して、それ以上の進入を阻止するストッパを設ける。
【０００９】
(４)  上記(３)項において、ストッパを、天板の後端より前方に設けする。
【００１０】
(５)  上記(３)または(４)項において、ストッパの側面に、外上方を向くフック片を設ける。
【００１１】
(６)  上記(３)〜(５)項のいずれかにおいて、ストッパの上面を、天板支持材より上方に位置させて、天板を支持しうるようにする。
【００１２】
(７)  上記(１)〜(６)項のいずれかにおいて、収容部の上端面を開放するとともに、左右の支柱のハンドル部間を開放する。
【００１３】
(８)  上記(１)〜(７)項のいずれかにおいて、収容部の前面に、上下方向を向く保護部材を設ける。
【発明の効果】
【００１４】
本発明によると、次のような効果を奏することができる。
請求項１記載の発明によると、後面に取り出し口を有する収容部の後端より起立する左右１対の支柱における前記収容部の上端より上方に離間する上部に、前方を向く天板支持材を設け、両天板支持材上に、天板を、その後端が前記収容部の後端より前方に位置するようにして設けることにより、前記両支柱と天板支持材との連設部分に、ハンドル部を形成してあるので、ハンドル部を簡単に形成することができるとともに、ハンドル部が収容部より側方に突出することがないので、不使用時におけるカート収容スペースの縮小化を図ることができる。
また、収容部の上端と、天板支持材および天板の下面との間に、前方および両側方に開口する、テーブル等の天板の進入空間を形成してあるので、進入空間にテーブル等の天板を進入させることにより、カートの天板上にパソコン等を載置したままの状態で、カートの収容部を、テーブル等の天板の下方に深く潜入させることができ、テーブル等における天板の下方のスペースを有効に利用することができるとともに、収容部の後面に取り出し口が設けられているので、テーブル等の天板の下方に潜入させたカートの収容部から収納物を容易に出し入れすることもできる。
【００１５】
請求項２記載の発明によると、収容部の後端より起立する左右１対の支柱の上部を、収容部の上端より上方に離間する位置において前方に折曲することにより、折曲部と前向部とを形成し、この折曲部をカート操作用のハンドル部とし、かつ前向部を天板支持材としてあるので、支柱とハンドル部と天板支持材とを、１本の鋼管等により簡単に形成することができる。
【００１６】
請求項３記載の発明によると、ハンドル部より前方における天板支持材の下面、天板の下面、または収容部の上面に、進入空間に進入してきたテーブル等の天板に当接して、それ以上の進入を阻止するストッパを設けてあるので、進入空間へのテーブル等の天板の進入量を規制することができるとともに、ハンドル部を握る使用者の手が、テーブル等の天板で挟まれることがない。
【００１７】
請求項４記載の発明によると、ストッパを、天板の後端より前方に設けてあるので、進入空間にテーブル等の天板を進入させて、カートをテーブル等と組み合わせて使用した際に、収容部の上面がテーブル等の天板により、完全に覆われるのを防止し、カートの後上方からの収容物の確認、および出し入れを行うことができる。
【００１８】
請求項５記載の発明によると、ストッパの側面に、外上方を向くフック片を設けてあるので、部品点数を増加させること無く、簡単な構造で、使い勝手を、より良くすることができる。
【００１９】
請求項６記載の発明によると、ストッパの上面を、天板支持材より上方に位置させて、天板を支持しうるようにしてあるので、天板を安定して支持することができる。
【００２０】
請求項７記載の発明によると、収容部の上端面を開放するとともに、左右の支柱のハンドル部間を開放してあるので、左右の支柱の上部のハンドル部間より、収容部内の収容物を後上方より視認することができるとともに、その収容物を出し入れすることができ、使い勝手がよい。
【００２１】
請求項８記載の発明によると、収容部の前面に、上下方向を向く保護部材を設けてあるので、カートの操作時に、障害物等との衝突による収容物の破損を防止することができる。
【発明を実施するための最良の形態】
【００２２】
本発明の実施形態を、添付図面を参照して説明する。
図１は、本発明の一実施形態におけるカートの側面図、図２は、同じく、図1のII−II線における縦断正面図、図３は、図1のIII−III線における拡大縦断正面図、図４は、カートの収容部をテーブルの天板の下方に潜入させた状態を示す縦断側面図である。なお、以下の説明において、図１の右方向を「前方」とし、左方向を「後方」とする。
【００２３】
本発明のカートは、図１および図２に示すように、カート本体(１)が、キャスタ(２)を備えた移動可能な架台(３)と、この架台(３)上の左右側縁に立設した側面視倒立Ｕ字形をなす左右１対の側面枠(４)(４)とにより組立てられている。
【００２４】
各側面枠(４)は、前部支柱(５)と、後部支柱(６)と、前部支柱(５)の上端から後方に向けて水平に延び、かつ後部支柱(６)に連結された横桟(７)とにより枠組みされている。
【００２５】
上下方向を向く前部支柱(５)は、カートの操作時に、障害物等との衝突による収容物の破損を防止する保護部材となる。前後両支柱(５)(６)間には、複数のワイヤー部材(８)が上下に所望の間隔をもって前後方向に沿って架設されている。      
【００２６】
左右の側面枠(４)(４)は、その前方上部間が、図２に想像線で示すように、左右方向を向く連結杆(９)により連結されている。これにより、カート本体(１)における架台(３)上の左右両側面が、左右の側面枠(４)(４)により保護されるとともに、前後両面に、収容物の取り出し口が形成された収容部(10)が形成されている。
【００２７】
収容部(10)内における左右の側面枠(４)(４)間には、収容物を収容可能な上下２段のトレイ(11)(11)が配設されており、各トレイ(11)は、各側面枠(４)における前後両支柱(５)(６)間に架設された支持ワイヤー部材(12)によって着脱自在に支持されている。
【００２８】
左右の後部支柱(６)(６)における各々の上部には、収容部(10)の上面より上方に離間する位置において、円弧状をなして前方に折曲させることにより、円弧状の折曲部と、前向部とが形成され、この折曲部により、カート操作用のハンドル部(16)(16)が、また前向部により、天板支持材(13)(13)がそれぞれ形成されている。左右の両天板支持材(13)(13)上には、天板(14)が載置され、かつ固定されている。
これにより、収容部(10)の上面と、左右の天板支持材(13)(13)および天板(14)の下面との間には、前方および両側方に開口する、後記するテーブル(20)等の天板(21)の進入空間(15)が形成されている。
【００２９】
ハンドル部(16)(16)である両支柱(６)(６)の円弧状の折曲部の上面および後面には、軟質パット(16a)がそれぞれ設けられている。
ハンドル部(16)(16)は、収容部(10)より後方および両側方に突出することがないので、不使用時におけるカート収容スペースの縮小化を図ることができる。
【００３０】
天板(14)の後端(14a)は、上部トレイ(11)の後端(11a)より前方に位置するようにして設けられており、また、収容部(10)の上端を開放することにより、左右のハンドル部(16)(16)間より、収容部(10)内の収容物を、後上方より視認しうるとともに、出し入れができるようになっている。
【００３１】
各天板支持材(13)には、図３および図４に示すように、前後１対の固定ねじ(17)(17)によりストッパ(18)が固着されている。このストッパ(18)の上面は、天板支持材(13)の上方に突出させることにより、天板(14)の後端(14a)下面を支持する天板受け部材を兼ねている。
【００３２】
ストッパ(18)の下部は、ハンドル部(16)より前方、さらに、天板(14)の後端(14a)より前方における天板支持材(13)の下面より垂下するように設けられており、その垂下部(18a)の外側面には、外上方を向くフック片(19)が設けられている。
【００３３】
図４は、カート本体(１)の収容部(10)を、テーブル(20)の天板(21)の下方に潜入させた状態を示す。
図４に示すように、カート本体(１)を、テーブル(20)に向けて前方に移動し、進入空間(15)にテーブル(20)の天板(21)を進入させることにより、カート本体(１)の天板(14)上に、パソコン(Ｐ)等を載置したままの状態で、カート本体(１)の収容部(10)を、テーブル(20)の天板(21)の下方に潜入させて使用することができる。
【００３４】
進入空間(15)に進入してきたテーブル(20)の天板(21)は、ハンドル部(16)および天板(14)の後端(14a)より前方における天板支持材(13)の下面に設けられたストッパ(18)に当接し、それ以上の進入が阻止されるので、ハンドル部(16)を握る使用者の手が、テーブル(20)の天板(21)で挟まれることがなく、また、収容部(10)の上面がテーブル(20)の天板(21)により、完全に覆われるのを防止し、カートの後上方からの収容物の確認、および出し入れを行うことができる。
なお、ストッパ(18)は、収容部(10)の上面、例えば横桟(７)の上面に、上向きに突設して形成してもよい。
【図面の簡単な説明】
【００３５】
【図１】本発明の一実施形態におけるカートの側面図である。
【図２】同じく、図1のII−II線における縦断正面図である。
【図３】図1のIII−III線における拡大縦断正面図である。
【図４】カートの収容部をテーブルの天板の下方に潜入させた状態を示す縦断側面図である。
【符号の説明】
【００３６】
(１)カート本体
(２)キャスタ
(３)架台
(４)側面枠
(５)前部支柱
(６)後部支柱
(７)横桟
(８)ワイヤー部材
(９)連結杆
(10)収容部
(11)トレイ
(11a)後端
(12)支持ワイヤー部材
(13)天板支持材
(14)天板
(14a)後端
(15)進入空間
(16)ハンドル部
(16a)軟質パット
(17)ねじ
(18)ストッパ
(18a)垂下部
(19)フック片
(20)テーブル
(21)天板
(21a)端面
(Ｐ)パソコン
【図１】
2008017929.tif 000003
【図２】
2008017929.tif 000004
【図３】
2008017929.tif 000005
【図４】
2008017929.tif 000006